(57)【要約】 【課題】複数の多面体を回動して複数の表示面で構成される異なる表示パターンを演出する。【解決手段】回動可能に設けられた複数の多面体１と、複数の多面体１を同時又は別々に回動させる回動機構２を備え、前記多面体１の少なくとも２つの面を表示面とするとともに、前記表示領域Ａは、前記多面体の表示面が複数近接配置されることにより少なくとも１つの図柄Ｂ若しくは文字を表示する構成とし、前記多面体１の回動により視認可能な表示領域Ａに少なくとも２つの異なる表示パターンを表示する遊技機用演出装置。【選択図】図１
0003123359.tif 000002
【実用新案登録請求の範囲】
【請求項１】
遊技者に図柄若しくは文字が視認可能な表示領域を備えた遊技機用演出装置であって、
回動可能に設けられた複数の多面体と、
前記複数の多面体を同時又は別々に回動させる回動機構を備え、
前記多面体の少なくとも２つの面を表示面とするとともに、
前記表示領域は、前記多面体の表示面が複数近接配置されることにより少なくとも１つの図柄若しくは文字を表示する構成とし、
前記多面体の回動により視認可能な表示領域に少なくとも２つの異なる表示パターンを表示することを特徴とする遊技機用演出装置。
【請求項２】
前記多面体は、光透過性材料により形成されている請求項１に記載の遊技機用演出装置。
【請求項３】
前記遊技機用演出装置は、前記多面体間に形成された間隙と、前記多面体の背面方向から前記間隙と多面体に光を照射するための光照射手段を備えるものである請求項１又は２に記載の遊技機用演出装置。
【考案の詳細な説明】
【技術分野】
【０００１】
この考案は、パチンコ機等遊技機において、複数の多面体の表示領域に表示パターンを演出する遊技機用演出装置に関する。
【背景技術】
【０００２】
従来、この種の遊技機として、画像を表示する表示部と、当該表示部の前面側に配置された複数の回動パネルと、当該回動パネルを回動させる回動機構と、当該回動機構を制御して前記各回動パネルを回動させる制御部を備え、前記回動機構は、各回動パネルによって前記表示部の遮蔽をする第１の回動状態と、当該各回動パネルによる前記表示部の遮蔽を解除する第２の回動状態との少なくとも２種類の回動状態に回動するものが提案されている。（特許文献１参照）。
【０００３】
【特許文献１】特開２００５−２６１４７５号公報（図１、図４、図５）
【考案の開示】
【考案が解決しようとする課題】
【０００４】
前記した特許文献１の遊技機では、背面側の表示部の前面において、複数の回動パネルを回動して、多彩な演出をするものであるが、回動パネルは板状で、遮蔽を解除して縦方向とすると、背面側の表示部を目視するときに前面の縦方向にした複数の回動パネルが邪魔となり、背面側の表示部に表示される画像を見にくいという問題があった。
【０００５】
この考案は、このような問題点を解消するために、複数の多面体の回動により視認可能な表示領域に少なくとも２つの異なる表示パターンを表示する遊技機用演出装置を提供することを目的とする。
【課題を解決するための手段】
【０００６】
この考案の請求項１の遊技機用演出装置は、
遊技者に図柄若しくは文字が視認可能な表示領域を備えた遊技機用演出装置であって、
回動可能に設けられた複数の多面体と、
前記複数の多面体を同時又は別々に回動させる回動機構を備え、
前記多面体の少なくとも２つの面を表示面とするとともに、
前記表示領域は、前記多面体の表示面が複数近接配置されることにより少なくとも１つの図柄若しくは文字を表示する構成とし、
前記多面体の回動により視認可能な表示領域に少なくとも２つの異なる表示パターンを表示することを特徴とする。
【０００７】
請求項２の考案は、前記遊技機用演出装置において、前記多面体は、光透過性材料により形成されている。
請求項３の考案は、前記遊技機用演出装置において、前記遊技機用演出装置は、前記多面体間に形成された間隙と、前記多面体の背面方向から前記間隙と多面体に光を照射するための光照射手段を備えるものである。
【考案の効果】
【０００８】
この考案の遊技機用演出装置は、多面体の少なくとも２つの面を表示面とするとともに表示領域は、前記多面体の表示面が複数近接配置されることにより少なくとも１つの図柄若しくは文字を表示する構成とし、前記多面体の回動により視認可能な表示領域に少なくとも２つの異なる表示パターンを表示するので、遊技者の興趣を増大でき、商品価値を向上できる。
【０００９】
また、前記多面体を光透過性材料により形成することにより、多面体を光照射手段で照射して図柄若しくは文字をはっきりと表示させることができる。
さらに、前記多面体間に形成された間隙と、前記多面体の背面方向から前記間隙と多面体に光を照射するための光照射手段を備えたことにより、多面体の背面方向から光照射手段で照射することができ、前記表示パターンの図柄若しくは文字をはっきりと表示させることができるとともに、光照射手段の点灯、点滅の変化の演出で遊技者に楽しませることができ、遊技者の興趣を高めることができる。
【考案を実施するための最良の形態】
【００１０】
この考案の遊技機用演出装置の実施形態を図面に基づいて説明する。図１はこの考案の遊技機用演出装置の斜視図、図２は多面体の表示パターンＰ１「かえるの目が開いた顔」の正面図、図３は同平面図、図４は多面体の表示パターンＰ２「かえるの泣き顔」の正面図、図５は同平面図、図６は多面体の表示パターンＰ３「かえるの笑顔」の正面図、図７は同平面図である。
【００１１】
図１ないし図７において、この考案の遊技機用演出装置は、遊技者に図柄若しくは文字が視認可能な表示領域Ａを備えた遊技機用演出装置であって、複数の多面体１が回動可能に設けられ、前記複数の多面体１を同時又は別々に回動させる回動機構２が備えられる。
前記多面体１は少なくとも２つの面を表示面とするとともに、前記表示領域Ａは、前記多面体１の表示面が複数近接配置されることにより少なくとも１つの図柄Ｂ若しくは文字を表示する構成とされ、かつ視認可能としてある。多面体１の各表示面の視認可能な表示領域Ａには、それぞれ少なくとも１つの図柄Ｂ若しくは文字が表示され、１つの表示パターンが表れるようにしてある。前記多面体１は少なくとも２つの面を表示面とするもので、前記多面体１の回動により視認可能な表示領域Ａに少なくとも２つの異なる表示パターンが表示されるものである。実施形態の複数の多面体１は全部の表示面の前記表示領域Ａに１つの図柄Ｂが分けて表示され、複数の多面体の表示面に異なる表示パターンが表れるようにしてある。
複数の多面体１の表示領域Ａの図柄Ｂ若しくは文字の表示方法は、例えば、複数の多面体の２つの表示面に異なる表示パターンの図柄若しくは文字が印刷され、或いは図柄若しくは文字を印刷したシールが貼着される。前記表示領域には、１つの図柄若しくは文字を表示する構成とされているが、これに限られるものではなく、複数の図柄若しくは文字を表示する構成とすることもできる。また、複数の多面体を複数のグループに分けて、グループ毎に１つ或いは複数の図柄若しくは文字を表示することもできる。
【００１２】
図１ないし図７に示す前記多面体１は、合成樹脂製の正三角柱であり、この正三角柱が５個近接して平行に配置されて回動可能に軸支されている。正三角柱の表示領域Ａは、正三角柱の各表示面１ａ、１ｂ、１ｃが複数近接配置されることにより１つの図柄Ｂ若しくは文字を表示する構成とされ、前記多面体１の回動により各表示面１ａ、１ｂ、１ｃの視認可能な各表示領域Ａに異なる表示パターンＰ１、Ｐ２、Ｐ３が表示される。
実施形態において、５個の多面体１が配置され、各多面体１の表示面１ａで構成される表示領域Ａに１つの表示パターンＰ１の図柄Ｂ「かえるの目を開けた顔」、表示面１ｂで構成される表示領域Ａに表示パターンＰ２の図柄Ｂ「かえるの泣き顔」、表示面１ｃで構成される表示領域Ａに表示パターンＰ３の図柄Ｂ「かえるの笑顔」が表示された場合を示す。
図１、図２に示す、表示パターンＰ１の図柄Ｂ「かえるの目を開けた顔」は、複数の表示面１ａの「かえるの目を開けた顔の左端部分」、「目を開けた顔の左部分」、「目を開けた顔の中央部」、「目を開けた顔の右部分」、「目を開けた顔の右端部分」が揃えられて構成される。
図４に示す表示パターンＰ２の図柄Ｂ「かえるの泣き顔」は、複数の表示面１ｂの「かえるの泣き顔の左端部分」、「泣き顔の左部分」、「泣き顔の中央部」、「泣き顔の右部分」、「泣き顔の右端部分」が揃えられて構成される。
図６に示す表示パターンＰ３の図柄Ｂ「かえるの笑顔」は、複数の表示面１ｃの「かえるの笑顔の左端部分」、「笑顔の左部分」、「笑顔の中央部」、「笑顔の右部分」、「笑顔の右端部分」が揃えられて構成される。
なお、前記実施例では、多面体１として正三角柱の場合を示したが、これに限られるものではなく、例えば、四角柱等多角柱とすることができる。また、多面体の材質は合成樹脂に限るものではなく、他の材料とすることは自由にできる。  
【００１３】
前記多面体１は、光透過性材料により形成され、後述の光照射手段３で照射することにより、多面体内部を光が透過して表示面に表示された図柄Ｂ若しくは文字がはっきり、かつ明るく表示できるようにするのが好ましい。前記多面体１は透明な合成樹脂製としてあるので、光を透過して表示面に表示された図柄若しくは文字がはっきり、かつ明るく表示できる。
【００１４】
多面体１を回動して各表示面を変換する場合について、説明する。
各多面体の第１表示面１ａが正面側のとき、表示領域Ａの表示パターンＰ１は「かえるの目が開いた顔」であり、多面体１が回動されて、第２表示面１ｂが正面側となると、表示領域Ａの表示パターンＰ２は「かえるの泣き顔」となり、さらに第３表示面１ｃが正面側となると、表示領域Ａの表示パターンＰ３は「かえるの笑顔」となる。この多面体の表示パターンの変換により遊技者に満足感、失望感を与えることで遊技中における興趣を持たせる。
【００１５】
前記したこの考案の構造とすれば、多面体１の少なくとも２つの面を表示面とするとともに表示領域Ａは、前記多面体１の表示面が複数近接配置されることにより少なくとも１つの図柄Ｂ若しくは文字を表示する構成とし、前記多面体１の回動により視認可能な表示領域Ａに少なくとも２つの異なる表示パターンを表示するので、遊技中に異なる表示パターンに変わることで遊技者の興趣を増大でき、商品価値を向上できる。
【００１６】
前記複数の多面体１は間隙Ｈを存して配置され、前記複数の多面体の各間隙Ｈの背面側には、前記間隙Ｈを通じて背面側から照射される光照射手段３が備えられ、多面体１と間隙が背面側の光照射手段３により照射される。間隙Ｈは、光照射手段３の点灯、点滅を正面側より遊技者が目視できる幅とするのが好ましい。
実施例では、多面体１の背面側に基板４が設けられ、隣接する各多面体１の間隙Ｈの後方に光照射手段３として、例えば複数のＬＥＤが一定の間隔で縦一列に備えられている。光照射手段３は間隙Ｈに一列に複数個配列して点灯、或いは／および点滅可能としてある。多面体が回転して表示面が変換されて異なる表示パターンが演出されるのに合わせて、背面方向から光照射手段３の照射により表示パターンをはっきりと表し、かつ多面体の間隙を通じて光照射手段３を目視でき、その点灯若しくは／および点滅による変化を遊技者に楽しませることができ、遊技者の興趣を高めることができる。
【００１７】
図１ないし図７において、回動機構２は、前記複数の多面体１の回転軸５に備えた歯車７と、該歯車を回動する駆動手段等からなる。
実施形態に示す回動機構２は、駆動手段１１により作動部材８を摺動し、作動部材８の摺動により歯車７を回動する機構としてある。
多面体１の回転軸５の一端が支持板６に回動自由に軸支され、回転軸５の他端には歯車７が固定され、該歯車７が作動部材８の歯１０に噛み合わされる。作動部材８はほぼ長方形の板状体でその上下両面に歯９、１０が設けられ、作動部材８の下部の歯１０が前記多面体１の歯車７に噛み合わされ、かつ駆動手段１１の出力軸に設けた歯車１２が作動部材８の上面の歯９に噛み合わされ、作動部材８は駆動手段１１の駆動により長手方向に摺動可能に設けられている。
駆動手段１１はモータ、例えば、ステッピングモータで、その出力軸の歯車１２が作動部材８の上面の歯９に噛み合わせされ、モータの駆動により歯車１２を回動させることにより作動部材８が長手方向に摺動され、作動部材８の摺動により各多面体１の歯車７が回動され、各多面体が所定角度回動されて、各表示面が正面側となった位置で停止され、各表示面に表示された図柄Ｂが合わせられ、それぞれの表示パターンが演出される。
【００１８】
前記作動部材８は前記駆動手段１１により所定ストローク往復動可能に設けられ、各多面体１の各表示面が正面側となる位置で止まるように制御される。
作動部材８を所定ストロークで摺動する構造は、作動部材８の左右の長手方向に所定ストロークの長孔１３、１３が設けられ、該長孔１３に挿入するガイド部１４が取付け部（図示せず）に突設され、突設したガイド部１４が前記長孔１３、１３にそれぞれ挿入され、作動部材８がガイド部１４に沿って移動可能に備えられている。作動部材８の長孔１３のストロークは、正三角柱を回動するときに、長孔１３の左端がガイド部１４に位置するとき、第１表示面１ａが合わせられ、長孔１３の中央がガイド部１４に位置するとき、第２表示面１ｂが合わせられ、長孔１３の右端がガイド部１４に位置するとき、第３表示面１ｃが合わせられ、各表示面の図若しくは文字が合わせられて表示パターンＰが構成される。実施例では、作動部材の摺動を左右に設けた長孔と、その長孔に挿入するガイド部との組合せで行っているが、この構造に限られるものではない。
【００１９】
なお、実施例では、１つの作動部材８の歯１０が全部の多面体１の歯車７に噛み合わせられ作動部材８を摺動することにより歯１０で各多面体１を同時に回動できる構成としてあるが、これに限られるものではなく、例えば、各多面体にそれぞれ回動機構を備えて、別々に駆動可能とし、制御手段で各多面体の回動を制御するようにしてもよく、或いは、複数の多面体を複数のグループに分けて、グループ毎に回動機構により同時に回動するようにして演出を変化させることもできる。
【００２０】
図８にこの考案の遊技機用演出装置の別の実施態様を示す。
前記多面体１の回転軸５に歯車７を備え、各歯車７を回転機構２で回動する場合を示す。
この遊技機用演出装置の回転機構２は、複数の多面体１のうちの一部の多面体を同時に回動可能とし、かつ一部の多面体を単独で回動可能としてある。
この回転機構２は、左側と右側の２個の多面体１の回転軸５の歯車７に駆動手段１１の歯車１２が噛み合わせられてそれぞれ同時に回動可能とされ、中央部の１個の多面体１の歯車７に駆動手段１１の歯車１２が噛み合わせられて単独で回動可能に設けられている。
この遊技機用演出装置の構造とした場合、正面側にいずれか１つの表示パターンを表示した多面体１のうちの左側の２個、中央部の１個或いは右側の２個を回動して他の表示パターンの図柄若しくは文字を正面側に合わせることにより、色々な表示パターンに変えることができる。
例えば、表示パターンＰ４は、複数の多面体１のうちの左側の２個の多面体１を回動した場合を示すものである。
表示パターンＰ４の図柄Ｂ「かえるがウインクした顔」は、前記表示パターンＰ１の図柄Ｂ「かえるの目を開けた顔」の左側の１番目と２番目の多面体を回動することにより、表示パターンＰ２の「泣き顔」の「目を閉じた」部分が表示された第２表示面１ｂを正面側として表示パターンＰ１の図柄Ｂ「かえるの目を開けた顔」の中央より右側の「目を開けた顔」と合わせられることにより構成される。このように複数の多面体のうちの一部の多面体を回動することにより、色々な図柄若しくは文字の表示パターンとすることができ、遊技者に興趣を持たせることができる。前記実施例では、左側と右側の２個の多面体１を同時に回動する構造としたが、これに限るものではなく、複数の多面体を別々に駆動手段で回転駆動することもできる。
【００２１】
図９はパチンコ機にこの考案の遊技機用演出装置を備えた一例を示す正面図である。
遊技盤２０にレール２１、図柄表示装置２２、風車２３、球通過検出ゲート２４、左側装飾部材２５、中央の始動口２６、左右の入賞口２７、中央下部の大入賞口２８等が備えられたパチンコ機において、例えば、遊技盤２０の右側のスペースにこの考案の遊技機用演出装置３１が配置された場合を説明する。
前記遊技盤２０の図柄表示装置２２の右側に遊技機用演出装置を収容できる取付け部２９とレール２１で囲われた演出スペース３０が設けられ、該演出スペース３０に遊技機用演出装置３１が配置され、演出部である複数の多面体１が正面側より目視可能とされる。遊技機用演出装置３１は図柄表示装置２２等と制御装置を介して関連させて備えられる。なお、多面体の回動機構は正面より目視できないように配置される。
この考案の遊技機用演出装置３１は、例えば、通常の遊技中は遊技機用演出装置の多面体１が表示パターンＰ１の「かえるの目が開いた顔」に表示されていて、図柄表示装置２２の図柄等の抽選が行われてリーチ後図柄が外れたときは、表示パターンＰ２の「かえるの泣き顔」に変わり、リーチ後図柄が揃って大当たりのとき、表示パターンＰ３の「かえるの笑顔」に変わるようにして、遊技者の興趣を増大することができる。
【００２２】
この考案は上記実施形態に限定されるものではなく、この考案の要旨を逸脱しない範囲で、種々の形態を実施しうるものである。
【図面の簡単な説明】
【００２３】
【図１】この考案の遊技機用演出装置の斜視図である。
【図２】多面体の表示パターンＰ１「かえるの目が開いた顔」の正面図である。
【図３】同平面図である。
【図４】多面体の表示パターンＰ２「かえるの泣き顔」の正面図である。
【図５】同平面図である。
【図６】多面体の表示パターンＰ３「かえるの笑顔」の正面図である。
【図７】同平面図である。
【図８】この考案の遊技機用演出装置の別の実施形態を示す正面図である。
【図９】この考案の遊技機用演出装置を備えたパチンコ機の正面図である。
【符号の説明】
【００２４】
１  多面体
１ａ  第１表示面
１ｂ  第２表示面
１ｃ  第３表示面
２  回動機構
３  光照射手段
Ａ  表示領域
Ｂ  図柄若しくは文字
Ｐ１  表示パターン
Ｐ２  表示パターン
Ｐ３  表示パターン
Ｐ４  表示パターン
７  歯車
８  作動部材
９  歯
１０  歯
１１  駆動手段
１２  歯車
１３  長孔
１４  ガイド部
３０  演出スペース
３１  遊技機用演出装置
【図１】
0003123359.tif 000003
【図２】
0003123359.tif 000004
【図３】
0003123359.tif 000005
【図４】
0003123359.tif 000006
【図５】
0003123359.tif 000007
【図６】
0003123359.tif 000008
【図７】
0003123359.tif 000009
【図８】
0003123359.tif 000010
【図９】
0003123359.tif 000011